(57)【要約】【課題】送風機の騒音を低減すると共に効率を高めることの可能な遠心ファンを提供する。【解決手段】遠心ファン１は、側板２、主板３、および複数の翼４を備える。側板２は、空気を吸い込む吸込口２１を有する。主板３は、側板２に対向して設けられる。複数の翼４は、側板２と主板３との間に回転方向に所定間隔で配置されている。複数の翼４は、前縁４０の形状が、前縁４０と側板２との接続部である第１接続部４１から前縁４０と主板３との接続部である第２接続部４２に亘り、回転方向前側と径方向内側の間の方向に向かい凸となる形状に構成されている。また、翼４の前縁４０のうち最も径方向内側に位置する頂点４３または線分４６が、第１接続部４１よりも径方向内側に位置し、且つ、第２接続部４２よりも径方向内側に位置している。【選択図】図１
2019127865.tif 000002
【特許請求の範囲】
【請求項１】
空気を吸い込む吸込口（２１）を有する側板（２）と、
前記側板に対向して設けられる主板（３）と、
前記側板と前記主板との間に回転方向に所定間隔で配置される複数の翼（４）と、を備える遠心ファンであって、
複数の前記翼は、前縁（４０）の形状が、前記前縁と前記側板との接続部である第１接続部（４１）から前記前縁と前記主板との接続部である第２接続部（４２）に亘り、回転方向前側と径方向内側の間の方向に向かい凸となる形状に構成されており、
前記翼の前記前縁のうち最も径方向内側に位置する頂点（４３）または線分（４６）が、前記第１接続部よりも径方向内側に位置し、且つ、前記第２接続部よりも径方向内側に位置している、遠心ファン。
【請求項２】
前記翼の前記前縁は、径方向内側に前記頂点を有する形状であり、前記頂点と前記第１接続部とを結んだ第１仮想線（Ｌ１）が前記前縁と交わらず、前記頂点と前記第２接続部とを結んだ第２仮想線（Ｌ２）も前記前縁と交わらない、滑らかな円弧形状に構成されている、請求項１に記載の遠心ファン。
【請求項３】
前記翼の前記前縁は、径方向内側に前記線分を有する形状であり、前記線分の側板側の端（４６１）と前記第１接続部とを結んだ第１仮想線が前記前縁と交わらず、前記線分の主板側の端（４６２）と前記第２接続部とを結んだ第２仮想線も前記前縁と交わらない、滑らかな円弧形状に構成されている、請求項１に記載の遠心ファン。
【請求項４】
前記第１接続部と前記第２接続部とを結んだ線（Ｓ）に対して平行で且つ前記前縁に接する仮想線を平行仮想線（ＰＬ）とすると、
前記平行仮想線と前記前縁との接点（４５）は、前記平行仮想線における前記側板と前記主板との中心位置（Ｐ１）よりも側板側に位置している、請求項１ないし３のいずれか１つに記載の遠心ファン。
【請求項５】
前記翼を回転させたときの前記前縁の軌跡における最小内径（Ｄ１）は、前記側板が有する前記吸込口の内径（Ｄ２）よりも小さい、請求項１ないし４のいずれか１つに記載の遠心ファン。
【請求項６】
前記翼の前記前縁は、前記第１接続部から前記第２接続部に亘り回転方向前側と径方向内側の間の方向に向かい凸となる滑らかな円弧形状に加え、前記第１接続部に設けられる曲面形状（４９）と、前記第２接続部に設けられる曲面形状（４９１）とをさらに有する、請求項１ないし５のいずれか１つに記載の遠心ファン。
【請求項７】
複数の前記翼は、前記前縁から後縁（５０）に向かって回転方向後向きに延びている、請求項１ないし６のいずれか１つに記載の遠心ファン。
【発明の詳細な説明】
【技術分野】
【０００１】
本発明は、遠心ファンに関するものである。
【背景技術】
【０００２】
従来、空調装置または換気装置などが備える送風機に用いられる遠心ファンが知られている。特許文献１に記載の遠心ファンは、空気を吸い込むための吸込口を有する側板と、その側板に対向して設けられる主板と、側板と主板との間に回転方向に所定間隔で配置される複数の翼を備えている。この遠心ファンが備える複数の翼は、前縁の形状が直線状に形成されている。また、複数の翼の前縁は、前縁と側板との接続部（以下「第１接続部」という）より、前縁と主板との接続部（以下「第２接続部」という）の方が、回転方向前側で且つ径方向内側に位置している。
【先行技術文献】
【特許文献】
【０００３】
【特許文献１】特開２０１０−１８５４５６号公報
【発明の概要】
【発明が解決しようとする課題】
【０００４】
しかしながら、特許文献１に記載の遠心ファンの翼は、第１接続部より第２接続部の方が径方向内側に位置していることから、遠心ファンを回転させた際に翼前縁の軌跡により形成される面の面積（以下「流入面積」という）が小さくなる。ここで、吸込口から複数の翼同士の間に流入する気流の速度をＶ、その流量をＱ、流入面積をＡとすると、Ｖ＝Ｑ／Ａ  の関係を有する。そのため、特許文献１に記載の遠心ファンは、吸込口から複数の翼同士の間に流入する気流の速度が速くなり、気流が翼前縁に衝突する際に生じる騒音が大きくなるといった問題がある。
【０００５】
また、特許文献１に記載の遠心ファンは、翼前縁のうち主板側に近い部分で形成される流入面積がより小さくなっている。そのため、複数の翼同士の空間の中で主板に近い部分に流入する気流の速度がより速くなり、複数の翼同士の間を流れる気流が主板側に大きく偏ることで、複数の翼同士の間を流れる気流の速度分布が大きくなる。したがって、特許文献１に記載の遠心ファンは、速度分布の増大によって生じる騒音が大きくなるといった問題もある。さらに、気流の翼前縁への衝突や、気流の速度分布の増大等により、気流の乱れが生じると、送風機の効率も低下することになる。
【０００６】
本発明は上記点に鑑みて、送風機の騒音を低減すると共に効率を高めることの可能な遠心ファンを提供することを目的とする。
【課題を解決するための手段】
【０００７】
上記目的を達成するため、請求項１に係る発明は、
空気を吸い込む吸込口（２１）を有する側板（２）と、
側板に対向して設けられる主板（３）と、
側板と主板との間に回転方向に所定間隔で配置される複数の翼（４）と、を備える遠心ファンであって、
複数の翼は、前縁（４０）の形状が、前縁と側板との接続部である第１接続部（４１）から前縁と主板との接続部である第２接続部（４２）に亘り、回転方向前側と径方向内側の間の方向に向かい凸となる形状に構成されており、
翼の前縁のうち最も径方向内側に位置する頂点（４３）または線分（４６）が、第１接続部よりも径方向内側に位置し、且つ、第２接続部よりも径方向内側に位置している。
【０００８】
これによれば、この遠心ファンは、翼の前縁の形状が、凸形状の頂点または線分から第２接続部に亘り径方向外側に切り欠かれていることで、特許文献１に記載の翼形状と比べて、翼の流入面積が大きくなる。そのため、吸込口から複数の翼同士の間に流入する気流の速度が遅くなる。したがって、この遠心ファンは、気流が翼前縁に衝突する際に生じる騒音を低減すると共に、気流の乱れを抑制することで送風機の効率を高めることができる。
【０００９】
また、この遠心ファンは、翼のうち凸形状の頂点または線分から第２接続部に亘り径方向外側に切り欠かれている部位（以下「翼前縁の主板側の部位」という）の流入面積を大きくすることで、複数の翼同士の空間の中で主板に近い部分に流入する気流の速度が遅くなる。そのため、複数の翼同士の間を流れる気流が主板側に偏ることが抑制される。したがって、この遠心ファンは、複数の翼同士の間を流れる気流の速度分布を小さくして送風機の騒音を低減することができると共に、気流の乱れを抑制することで送風機の効率を高めることができる。
【００１０】
さらに、この遠心ファンは、翼の前縁が第１接続部から凸形状の頂点または線分に亘り径方向内側に張り出している部位（以下「翼前縁の側板側の部位」という）を有しているこれにより、吸込口から複数の翼同士の間に流入する空気の流れの向きと、仮想流線の向きとの差が小さくなる。そのため、翼前縁の側板側の部位に吸込口から流入した空気が案内される。したがって、この遠心ファンは、翼前縁の側板側の部位で気流の剥離を低減して送風機の騒音を低減することができると共に、気流の乱れを抑制することで送風機の効率を高めることができる。
【００１１】
なお、上記各構成に付した括弧内の符号は、後述する実施形態に記載する具体的構成との対応関係の一例を示したものである。
【図面の簡単な説明】
【００１２】
【図１】第１実施形態に係る遠心ファンを用いた送風機の断面図である。
【図２】図１のＩＩ―ＩＩ線の断面図である。
【図３】図１のＩＩＩ部分の拡大図である。
【図４】複数の翼同士の間の気流を説明するための説明図である。
【図５】第２実施形態に係る遠心ファンの部分拡大図である。
【図６】第３実施形態に係る遠心ファンの部分拡大図である。
【図７】第４実施形態に係る遠心ファンの部分拡大図である。
【図８】第５実施形態に係る遠心ファンの部分拡大図である。
【図９】第６実施形態に係る遠心ファンの部分拡大図である。
【図１０】第７実施形態に係る遠心ファンの部分拡大図である。
【図１１】第８実施形態に係る遠心ファンの部分拡大図である。
【図１２】第９実施形態に係る遠心ファンの部分拡大図である。
【図１３】第１０実施形態に係る遠心ファンを用いた送風機の断面図である。
【図１４】第１比較例の遠心ファンの部分拡大図である。
【図１５】第２比較例の遠心ファンの部分拡大図である。
【図１６】第３比較例の遠心ファンの部分拡大図である。
【図１７】第４比較例の遠心ファンの部分拡大図である。
【発明を実施するための形態】
【００１３】
以下、本発明の実施形態について図面を参照しつつ説明する。なお、以下の各実施形態相互において、互いに同一もしくは均等である部分には、同一符号を付し、その説明を省略する。また、各実施形態で参照する図面に関し、遠心ファンの各構成の形状、翼の枚数および厚み等は、説明を分かりやすくするために模式的に記載したものであり、本発明を限定するものではない。
【００１４】
（第１実施形態）
第１実施形態について図面を参照しつつ説明する。第１実施形態の遠心ファン１は、空調装置または換気装置などが備える送風機１０に用いられるものである。
【００１５】
図１および図２に示すように、遠心ファン１は、側板２と主板３と複数の翼４を備えている。側板２は、円環状に形成され、その中央部に、空気を吸い込むための吸込口２１を有している。側板２は、吸込口２１から径方向外側に向かい主板３に次第に近づくような形状に形成されている。なお、図２では、側板２が有する吸込口２１の位置を一点鎖線で示している。
【００１６】
主板３は、円盤状に形成され、側板２に対向するように設けられている。主板３は、遠心ファン１の回転軸Ｏに対して略垂直に形成されている。主板３は、電動モータ１１のシャフト１２に固定される。
【００１７】
複数の翼４は、主板３と側板２との間に回転方向に所定の間隔で配置されている。複数の翼４は、前縁４０から後縁５０に向かって回転方向後ろ向きに延びている。したがって、この遠心ファン１は、ターボファンである。
【００１８】
遠心ファン１は、電動モータ１１のシャフト１２と共に回転する。遠心ファン１が回転すると、吸込口２１から吸い込まれた空気は、翼４の前縁４０から複数の翼４同士の間の流路を流れ、翼４の後縁５０と側板２と主板３との間に形成される空気出口から径方向外側に吹き出される。
【００１９】
本実施形態の遠心ファン１は、主板３と側板２と複数の翼４とが一体に形成されている。具体的には、複数の翼４は、回転軸方向の一方の側が主板３に接続され、回転軸方向の他方の側が側板２に接続されている。以下の説明では、前縁４０と側板２との接続部を第１接続部４１といい、前縁４０と主板３との接続部を第２接続部４２という。
【００２０】
複数の翼４は、前縁４０の形状が、第１接続部４１から第２接続部４２に亘り、回転方向前側と径方向内側の間の方向に向かい凸となる形状に構成されている。なお、図２に示すように、「回転方向前側と径方向内側の間の方向」とは、各々の翼４が内側に向けて延びている方向である。
【００２１】
図３に示すように、本実施形態では、翼４の前縁４０のうち最も径方向内側に位置する頂点４３が、第１接続部４１よりも径方向内側に位置し、且つ、第２接続部４２よりも径方向内側に位置している。図３では、遠心ファン１の回転軸Ｏに平行で、且つ、翼４の前縁４０に接する仮想線を一点鎖線ＶＬで示している。以下の説明では、この仮想線を「垂直仮想線ＶＬ」という。翼４の前縁４０と垂直仮想線ＶＬとの接する点が、翼４の前縁４０のうち最も径方向内側に位置する頂点４３となる。第１接続部４１と第２接続部４２は、いずれも、垂直仮想線ＶＬよりも径方向外側に位置している。
【００２２】
また、図３では、第１接続部４１と第２接続部４２とを結ぶ線を、一点鎖線Ｓで示している。翼４の前縁４０は、その一点鎖線Ｓに対し、回転方向前側と径方向内側の間の方向に向かって凸状に張り出した滑らかな円弧形状に構成されている。ここで、翼４の前縁４０のうち最も径方向内側に位置する頂点４３と第１接続部４１とを結ぶ線を、第１仮想線Ｌ１ということとする。また、翼４の前縁４０のうち最も径方向内側に位置する頂点４３と第２接続部４２とを結ぶ線を、第２仮想線Ｌ２ということとする。翼４の前縁４０は、第１仮想線Ｌ１と交わらず、第２仮想線Ｌ２とも交わらない、滑らかな円弧形状に構成されている。
【００２３】
また、図１に示すように、遠心ファン１は、翼４を回転させたときの前縁４０の軌跡における最小内径Ｄ１が、側板２が有する吸込口２１の内径Ｄ２よりも小さくなるように構成されている。これにより、遠心ファン１は、吸込口２１から吸い込んだ空気を、翼前縁４０の側板２側の部位によって案内することが可能である。そのため、翼前縁４０の側板２側の部位で気流の剥離が低減される。したがって、この遠心ファン１は、送風機１０の騒音を低減することができると共に、その効率を高めることができる。
【００２４】
ここで、本実施形態の遠心ファン１と比較するため、第１〜第４比較例の遠心ファン１０１〜１０４の部分拡大図を図１４〜図１７に示す。第１〜第４比較例の遠心ファン１０１〜１０４の翼４は、遠心ファン１０１〜１０４の回転軸Ｏと第１接続部４１との距離Ａがいずれも同一であるとする。
【００２５】
図１４に示すように、第１比較例の遠心ファン１０１は、翼４の前縁４０が回転軸Ｏに平行な直線状に形成されている。これにより、吸込口２１から複数の翼４同士の間に流入する空気の流れの向きと、仮想流線の向きとの差が大きくなる。そのため、第１比較例の遠心ファン１０１は、翼前縁４０の側板２側の部位で気流の剥離が大きくなり、騒音が増大するといった問題がある。
【００２６】
図１５に示すように、第２比較例の遠心ファン１０２は、翼４の前縁４０が、第１接続部４１から前縁４０の中間位置４４まで径方向内側に張り出し、前縁４０の中間位置４４から第２接続部４２に亘り回転軸Ｏに平行に形成されている。これにより、第２比較例は、第１比較例に比べて、遠心ファン１を回転させた際に翼前縁４０の軌跡により形成される面の面積（以下「流入面積」という）が小さくなる。ここで、吸込口２１から複数の翼４同士の間に流入する気流の速度をＶ、その流量をＱ、流入面積をＡとすると、Ｖ＝Ｑ／Ａ  の関係を有する。そのため、第２比較例の遠心ファン１０２は、吸込口２１から複数の翼４同士の間に流入する気流の速度が速くなり、気流が翼前縁４０に衝突する際に生じる騒音が大きくなるといった問題がある。
【００２７】
図１６に示すように、第３比較例の遠心ファン１０３は、翼４の前縁４０が、第１接続部４１より第２接続部４２の方が径方向内側に位置するように、直線状に形成されている。なお、第３比較例の遠心ファン１０３の翼４の形状は、上述した特許文献１に記載の遠心ファンの翼４の形状と実質的に同一である。この第３比較例は、第１比較例および第２比較例に比べて、翼前縁４０のうち主板３側に近い部分で形成される流入面積がより小さくなっている。これにより、複数の翼４同士の空間の中で主板３に近い部分に流入する気流の速度がより速くなる。そのため、複数の翼４同士の間を流れる気流が主板３側に大きく偏ることで、複数の翼４同士の間を流れる気流の速度分布が大きくなる。したがって、第３比較例の遠心ファン１０３は、速度分布の増大によって生じる騒音が大きくなるといった問題がある。
【００２８】
図１７に示すように、第４比較例の遠心ファン１０４は、翼４の前縁４０が、第１接続部４１から前縁４０の中間位置４４まで径方向内側に張り出し、前縁４０の中間位置４４より第２接続部４２の方が径方向内側に位置するように形成されている。この第４比較例の遠心ファン１０４も、第２比較例および第３比較例と同様の問題がある。
【００２９】
これに対し、図３に示すように、本実施形態の遠心ファン１は、翼４の前縁４０の形状が、凸形状の頂点４３から第２接続部４２に亘り径方向外側に切り欠かれていることで、第２〜第４比較例の翼４の形状に対し、翼４の流入面積が大きくなる。そのため、吸込口２１から複数の翼４同士の間に流入する気流の速度が遅くなる。したがって、本実施形態の遠心ファン１は、気流が翼前縁４０に衝突する際に生じる騒音を低減することができると共に、気流の乱れを抑制することで送風機１０の効率を高めることができる。
【００３０】
また、本実施形態の遠心ファン１は、翼前縁４０の主板３側の部位の流入面積を大きくすることで、複数の翼４同士の空間の中で主板３に近い部分に流入する気流の速度が遅くなる。そのため、複数の翼４同士の間を流れる気流が主板３側に偏ることを抑制することができる。
【００３１】
図４では、翼４の仮想流線を点線ＦＬで示し、複数の翼４同士の間を流れる気流を矢印ＡＦで示している。図４に示すように、本実施形態の遠心ファン１は、複数の翼４同士の間を流れる気流の速度分布を小さくして送風機１０の騒音を低減することができると共に、気流の乱れを抑制することで送風機１０の効率を高めることができる。
【００３２】
さらに、本実施形態の遠心ファン１は、翼４の前縁４０が第１接続部４１から凸形状の頂点４３に亘り径方向内側に張り出していることで、吸込口２１から複数の翼４同士の間に流入する空気の流れの向きと、仮想流線の向きとの差が小さくなる。そのため、翼前縁４０の側板２側の部位に吸込口２１から流入した空気が案内される。したがって、この遠心ファン１は、翼前縁４０の側板２側の部位で気流の剥離を低減して送風機１０の騒音を低減することができると共に、気流の乱れを抑制することで送風機１０の効率を高めることができる。
【００３３】
また、図３に示すように、本実施形態の遠心ファン１では、翼４の前縁４０は、頂点４３と第１接続部４１とを結んだ第１仮想線Ｌ１が前縁４０と交わらず、頂点４３と第２接続部４２とを結んだ第２仮想線Ｌ２も前縁４０と交わらない、滑らかな円弧形状に構成されている。これによれば、翼４の前縁４０を滑らかな円弧形状にすることで、翼４の流入面積がより大きくなる。そのため、吸込口２１から複数の翼４同士の間に流入する気流の速度がより遅くなる。したがって、この遠心ファン１は、翼前縁４０と気流の衝突による騒音を低減し、送風機１０の効率を高めることができる。
【００３４】
また、翼４の前縁４０を滑らかな円弧形状にすることで、翼前縁４０の主板３側の部位の流入面積も大きくなる。そのため、翼前縁４０の主板３側の部位を流れる気流の流速が遅くなり、複数の翼４同士の間を流れる気流が主板３側に偏ることが抑制される。したがって、この遠心ファン１は、速度分布に起因する送風機１０の騒音を低減し、送風機１０の効率を高めることができる。
【００３５】
（第２〜第９実施形態）
次に説明する第２〜第９実施形態は、いずれも、第１実施形態に対して翼４の前縁４０の形状の一部を変更したものであり、その他については第１実施形態と同様であるため、第１実施形態と異なる部分についてのみ説明する。
【００３６】
（第２実施形態）
第２実施形態の遠心ファン１の部分拡大図を図５に示す。第２実施形態では、第１接続部４１と第２接続部４２とを結んだ線Ｓが、遠心ファン１の回転軸Ｏと平行になっている。すなわち、遠心ファン１の回転軸Ｏと第１接続部４１との距離Ａと、遠心ファン１の回転軸Ｏと第２接続部４２との距離Ｂとは、同一である。この第２実施形態の遠心ファン１の構成においても、第１実施形態と同様の作用効果を奏することができる。
【００３７】
（第３実施形態）
第３実施形態の遠心ファン１の部分拡大図を図６に示す。第３実施形態では、第１接続部４１と第２接続部４２とを結んだ線Ｓに対して平行で且つ前縁４０に接する仮想線を平行仮想線ＰＬと呼ぶこととする。第３実施形態では、その平行仮想線ＰＬと前縁４０との接点４５は、平行仮想線ＰＬにおける側板２と主板３との中心位置Ｐ１よりも側板２側に位置している。この第３実施形態の遠心ファン１の構成においても、騒音をより低減するとともに、送風機１０の効率をより高めることができる。
【００３８】
（第４実施形態）
第４実施形態の遠心ファン１の部分拡大図を図７に示す。第４実施形態では、翼４の前縁４０の形状の中に、線分としてのストレート部４６が形成されている。ストレート部４６は、第１接続部４１よりも径方向内側に位置し、且つ、第２接続部４２よりも径方向内側に位置している。ストレート部４６は、遠心ファン１の回転軸Ｏに平行な垂直仮想線ＶＬに対して傾いている。
【００３９】
第４実施形態では、ストレート部４６の側板２側の端４６１と第１接続部４１とを結ぶ線を、第１仮想線Ｌ１ということとする。また、ストレート部４６の主板３側の端４６２と第２接続部４２とを結ぶ線を、第２仮想線Ｌ２ということとする。翼４の前縁４０は、第１仮想線Ｌ１と交わらず、第２仮想線Ｌ２とも交わらない、滑らかな円弧形状に構成されている。この第４実施形態の遠心ファン１の構成においても、第１実施形態等と同様の作用効果を奏することができる。
【００４０】
（第５実施形態）
第５実施形態の遠心ファン１の部分拡大図を図８に示す。第５実施形態でも、翼４の前縁４０の形状の中に、ストレート部４６が形成されている。ストレート部４６は、遠心ファン１の回転軸Ｏに平行な垂直仮想線ＶＬに対して平行に形成されている。第５実施形態でも、翼４の前縁４０のうち最も径方向内側に位置する線分としてのストレート部４６は、第１接続部４１よりも径方向内側に位置し、且つ、第２接続部４２よりも径方向内側に位置している。第５実施形態でも、翼４の前縁４０は、第１仮想線Ｌ１と交わらず、第２仮想線Ｌ２とも交わらない、滑らかな円弧形状に構成されている。この第５実施形態の遠心ファン１の構成においても、第１実施形態等と同様の作用効果を奏することができる。
【００４１】
（第６実施形態）
第６実施形態の遠心ファン１の部分拡大図を図９に示す。第６実施形態では、翼前縁４０の側板２側の部位にストレート部４７が形成されている。第６実施形態では、翼４の前縁４０は、ストレート部４７の主板３側の端４７２から第２接続部４２に亘り、滑らかな円弧状に形成されている。この第６実施形態の遠心ファン１の構成においても、第１実施形態等と同様の作用効果を奏することができる。
【００４２】
（第７実施形態）
第７実施形態の遠心ファン１の部分拡大図を図１０に示す。第７実施形態では、翼前縁４０の側板２側の部位に第１ストレート部４７が形成されている。また、翼前縁４０の主板３側の部位にも第２ストレート部４８が形成されている。翼４の前縁４０は、第１ストレート部４７の主板３側の端４７２から第２ストレート部４８の側板２側の端４８１に亘り、滑らかな円弧状に形成されている。この第７実施形態の遠心ファン１の構成においても、第１実施形態等と同様の作用効果を奏することができる。
【００４３】
（第８実施形態）
第８実施形態の遠心ファン１の部分拡大図を図１１に示す。第８実施形態では、翼４の前縁４０は、第１接続部４１に設けられる曲面形状４９と、第２接続部４２に設けられる曲面形状４９１とを有している。第１接続部４１に設けられる曲面形状４９により、翼４と側板２との接合の剛性を高めることができる。また、第２接続部４２に設けられる曲面形状４９１により、翼４と主板３との接合の剛性を高めることができる。なお、曲面形状４９、４９１の曲率半径は、例えば、０．１〜１．０ｍｍ程度である。この第８実施形態の遠心ファン１の構成においても、第１実施形態等と同様の作用効果を奏することができる。
【００４４】
（第９実施形態）
第９実施形態の遠心ファン１の部分拡大図を図１２に示す。第９実施形態では、第１接続部４１より、第２接続部４２の方が、径方向外側に位置している。すなわち、遠心ファン１の回転軸Ｏと第１接続部４１との距離Ａは、遠心ファン１の回転軸Ｏと第２接続部４２との距離Ｂより短い。この第９実施形態の遠心ファン１の構成においても、第１実施形態と同様の作用効果を奏することができる。
【００４５】
（第１０実施形態）
第１０実施形態に係る遠心ファン１を用いた送風機１０の断面図を図１３に示す。第１０実施形態は、第１実施形態等に対して主板３の形状を変更したものであり、その他については第１実施形態等と同様であるため、第１実施形態等と異なる部分についてのみ説明する。
【００４６】
第１０実施形態では、主板３は、外周部３１に対して中央部３２が側板２側に近づくように、遠心ファン１の回転軸Ｏに対して傾斜して形成されている。この第１０実施形態の遠心ファン１の構成においても、第１実施形態と同様の作用効果を奏することができる。
【００４７】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００４８】
（まとめ）
上記各実施形態の一部または全部で示された第１の観点によれば、遠心ファンは、側板、主板、および複数の翼を備える。側板は、空気を吸い込む吸込口を有する。主板は、側板に対向して設けられる。複数の翼は、側板と主板との間に回転方向に所定間隔で配置されている。複数の翼は、前縁の形状が、前縁と側板との接続部である第１接続部から前縁と主板との接続部である第２接続部に亘り、回転方向前側と径方向内側の間の方向に向かい凸となる形状に構成されている。また、翼の前縁のうち最も径方向内側に位置する頂点または線分が、第１接続部よりも径方向内側に位置し、且つ、第２接続部よりも径方向内側に位置している。
【００４９】
第２の観点によれば、翼の前縁は、径方向内側に頂点を有する形状である。そして、翼の前縁は、頂点と第１接続部とを結んだ第１仮想線が前縁と交わらず、頂点と第２接続部とを結んだ第２仮想線も前縁と交わらない、滑らかな円弧形状に構成されている。
【００５０】
これによれば、翼の前縁を滑らかな円弧形状にすることで、翼の流入面積がより大きくなる。そのため、吸込口から複数の翼同士の間に流入する気流の速度がより遅くなる。したがって、この遠心ファンは、翼前縁と気流の衝突による騒音を低減し、送風機の効率を高めることができる。
【００５１】
また、翼の前縁を滑らかな円弧形状にすることで、翼前縁の主板側の部位の流入面積も大きくなる。そのため、翼前縁の主板側の部位を流れる気流の流速が遅くなり、複数の翼同士の間を流れる気流が主板側に偏ることが抑制される。したがって、この遠心ファンは、速度分布に起因する騒音を低減し、送風機の効率を高めることができる。
【００５２】
第３の観点によれば、翼の前縁は、径方向内側に線分を有する形状である。そして、翼の前縁は、線分の側板側の端と第１接続部とを結んだ第１仮想線が前縁と交わらず、線分の主板側の端と第２接続部とを結んだ第２仮想線も前縁と交わらない、滑らかな円弧形状に構成されている。
【００５３】
これによれば、第３の観点の構成によっても、第２の観点で述べた作用効果と同様の作用効果を奏することができる。
【００５４】
第４の観点によれば、第１接続部と第２接続部とを結んだ直線に対して平行で且つ前縁に接する仮想線を平行仮想線とする。その場合、平行仮想線と前縁との接点は、平行仮想線における側板と主板との中心位置よりも側板側に位置している。
【００５５】
これによれば、この遠心ファンは、送風機の騒音をより低減するとともに、その効率をより高めることができる。
【００５６】
第５の観点によれば、翼を回転させたときの前縁の軌跡における最小内径は、側板が有する吸込口の内径よりも小さい。これによれば、遠心ファンは、吸込口から流入した空気を、翼前縁の側板側の部位により案内することが可能となる。そのため、翼前縁の側板側の部位で気流の剥離が低減される。したがって、この遠心ファンは、送風機の騒音を低減するとともに、その効率を高めることができる。
【００５７】
第６の観点によれば、翼の前縁は、第１接続部から第２接続部に亘り回転方向前側と径方向内側の間の方向に向かい凸となる滑らかな円弧形状に加え、第１接続部に設けられる曲面形状と、第２接続部に設けられる曲面形状とをさらに有する。これによれば、この遠心ファンは、第１接続部と第２接続部の剛性を高めることができる。
【００５８】
第７の観点によれば、複数の翼は、前縁から後縁に向かって回転方向後向きに延びている。すなわち、この遠心ファンは、ターボファンとしての騒音を低減するとともに、その効率を高めることができる。
【符号の説明】
【００５９】
１    遠心ファン
２    側板
３    主板
４    翼
２１  吸込口
４０  前縁
４１  第１接続部
４２  第２接続部
４３  頂点
４６  ストレート部
【図１】
2019127865.tif 000003
【図２】
2019127865.tif 000004
【図３】
2019127865.tif 000005
【図４】
2019127865.tif 000006
【図５】
2019127865.tif 000007
【図６】
2019127865.tif 000008
【図７】
2019127865.tif 000009
【図８】
2019127865.tif 000010
【図９】
2019127865.tif 000011
【図１０】
2019127865.tif 000012
【図１１】
2019127865.tif 000013
【図１２】
2019127865.tif 000014
【図１３】
2019127865.tif 000015
【図１４】
2019127865.tif 000016
【図１５】
2019127865.tif 000017
【図１６】
2019127865.tif 000018
【図１７】
2019127865.tif 000019